(57)【要約】【課題】本願発明の課題は、従来技術が抱える問題を解決することであり、すなわち、補強鉄筋の設置作業が従来に比して容易であり、しかも限られた補強有効範囲であっても補強鉄筋の増加に柔軟に対応することができる開口部の補強構造を提供することである。【解決手段】本願発明の開口部の補強構造は、側方補強鉄筋と中央補強鉄筋を備えた構造である。側方補強鉄筋は、水平部と傾斜部を有する折り曲げ鉄筋であり、４本を１組として、コンクリート造梁の左右の側面に所定のかぶりを確保したうえで配置される。また中央補強鉄筋は、左右側面に配置された側方補強鉄筋の間に配置される。開口部は、側面側では４つの（４本の側方補強鉄筋の）傾斜部によって取り囲まれ、断面中央側では中央補強鉄筋の全部又は一部によって形成される閉鎖領域の中に収められる。【選択図】図１
2018104993.tif 000002
【特許請求の範囲】
【請求項１】
コンクリート造梁に設けられた開口部の補強構造において、
前記コンクリート造梁の左側面に所定のかぶりを確保して配置された４本の側方補強鉄筋と、
前記コンクリート造梁の右側面に所定のかぶりを確保して配置された４本の側方補強鉄筋と、
左側面に配置された前記側方補強鉄筋と、右側面に配置された前記側方補強鉄筋と、の間に配置された中央補強鉄筋と、を備え、
前記側方補強鉄筋は水平部と傾斜部を有する折り曲げ鉄筋であり、該傾斜部によって前記開口部を取り囲むように４本の前記側方補強鉄筋が配置され、
前記中央補強鉄筋の全部又は一部によって閉鎖領域が形成され、該閉鎖領域内に前記開口部が収められた、
ことを特徴とする開口部の補強構造。
【請求項２】
４本のうち２本の前記側方補強鉄筋は、前記水平部が前記開口部の上方に配置される上部側方補強鉄筋であって、他の２本の前記側方補強鉄筋は、前記水平部が前記開口部の下方に配置される下部側方補強鉄筋であり、
２本の前記上部側方補強鉄筋は、それぞれの前記傾斜部が前記開口部を挟んで対向するとともに、前記水平部と前記傾斜部との折り曲げ部で交差し、かつ両方の前記水平部が略一直線となるように配置され、
２本の前記下部側方補強鉄筋は、それぞれの前記傾斜部が前記開口部を挟んで対向するとともに、前記水平部と前記傾斜部との折り曲げ部で交差し、かつ両方の前記水平部が略一直線となるように配置された、
ことを特徴とする請求項１記載の開口部の補強構造。
【請求項３】
前記開口部の上方及び下方の主筋をそれぞれ取り囲んで配置された開口部補強鉄筋を、さらに備え、
前記開口部補強鉄筋は、前記主筋の側方からスライド挿入可能となるように一部が開いたコ字形状であって、
左右１組の前記開口部補強鉄筋によって前記主筋が取り囲まれるとともに、該開口部補強鉄筋の両端に設けられたフックが該主筋に掛けられた、
ことを特徴とする請求項１又は請求項２記載の開口部の補強構造。
【請求項４】
前記閉鎖領域の大きさが異なる複数の前記中央補強鉄筋が略同一面内に配置され、多重の該中央補強鉄筋によって前記開口部が取り囲まれた、
ことを特徴とする請求項１乃至請求項３のいずれかに記載の開口部の補強構造。
【発明の詳細な説明】
【技術分野】
【０００１】
本願発明は、コンクリート造梁に設けられた開口部の補強に関する技術であり、より具体的には、開口部の周辺に種々の補強鉄筋を配置した補強構造に関するものである。
【背景技術】
【０００２】
一般的に建築物では、図７に示すように柱の基礎（フーチング）を接続する基礎梁が構築されることがある。この基礎梁は、地中に構築されることから「地中梁」ともいわれ、基礎部全体の剛性を高めるとともに、建築物の不等沈下を防ぐものであり、一般的には鉄筋コンクリート造とされる。そして基礎梁には、人が通るため、あるいは設備用として開口部が設けられることが多い。
【０００３】
通常、開口部の断面形状は円形であり、その直径は慣用的に梁せいの１／３以下とされている。また開口部は、梁を貫通するいわば断面欠損部であり、当然ながらこの部分では必要な強度が不足しているため、その周辺は補強鉄筋等によって補強される。なお、補強鉄筋が開口部を補強し得る範囲（補強有効範囲Ｃ）は、図８に示すように開口部中心から４５度方向に伸ばした線と主筋との交差位置を境界とする、限られた領域である。
【０００４】
開口部はその性質上できるだけ大きな面積を確保する方がよいが、一方で梁せいは経済的な理由等からできるだけ小さくした方がよい。そのため、開口部の直径は概ね梁せいの１／３とされることが多く、言い換えれば梁せいの寸法を開口部直径の３倍とする設計が主流となっている。例えば、人通孔では人が通るため６００ｍｍの直径が必要とされていることから、梁せいは１，８００ｍｍで設計される。規模によっては構造計算上必要な梁せいが１，８００ｍｍ以下となる場合でも、梁せいは開口部直径の３倍である１，８００ｍｍを確保する必要があった。
【０００５】
そこで、これまでにも基礎梁の開口部を補強する技術が種々提案されており、例えば特許文献１では、２本の鉄筋をＸ字状に重ねた組み鉄筋を人通孔の周辺に配置する補強構造を提案している。
【先行技術文献】
【特許文献】
【０００６】
【特許文献１】特開２０１３−０８７５０４号公報
【発明の概要】
【発明が解決しようとする課題】
【０００７】
特許文献１に示すＸ字状組み鉄筋は、人通孔を挟んで２組配置され、さらにこの２組が梁の両側面に配置され、全部で４組のＸ字状組み鉄筋が人通孔の周辺に配置される。そして、Ｘ字状組み鉄筋を構成するそれぞれの鉄筋は、その一端はコンクリートに定着するものの、他の一端（フック）は主筋に緊結される。この緊結作業は、狭隘な空間でしかも種々の鉄筋が密集した状況で行われることから、困難な作業であり相当に手間を要する作業である。
【０００８】
また特許文献１の補強構造は、Ｘ字状組み鉄筋の一端（フック）は必ず主筋に緊結されることから、梁内部に配置できる補強鉄筋は主筋の本数から両端の２本を引いた数となるため、比較的大きな荷重が想定されるなど補強鉄筋量を増加しなければならないケースでは、その対応が難しい。仮に、両側面に配置されたＸ字状組み鉄筋の間（つまり、梁断面の中央部）にＸ字状組み鉄筋を配置する設計としても、主筋への緊結を含めその設置作業はさらに困難さが増すこととなる。
【０００９】
加えて、特許文献１をはじめ従来の補強構造では、開口部の上下に設けられる補強鉄筋の設置作業もやはり困難であった。この補強鉄筋は、主筋を取り囲むように設置されるものであって、図９に示すように閉鎖した（開いた箇所がない）形状であり、その先端は１３５°フックとされている。したがって、この補強鉄筋を設置するためには、主筋の先端から押し込んでいくか、あるいは事前に複数の主筋とともに先組みすることとなり、いずれにしろその施工性は著しく悪い。
【００１０】
本願発明の課題は、従来技術が抱える問題を解決することであり、すなわち、補強鉄筋の設置作業が従来に比して容易であり、しかも限られた補強有効範囲Ｃであっても補強鉄筋の増加に柔軟に対応することができる開口部の補強構造を提供することである。
【課題を解決するための手段】
【００１１】
本願発明は、コンクリート造梁の両側面に配置される４本１組の側方補強鉄筋に加え、梁断面の中央部に配置される中央補強鉄筋によって補強することとし、さらにこの中央補強鉄筋に形成される閉鎖領域内に開口部を収める、という点に着目してなされたものであり、これまでにない発想に基づいて行われた発明である。
【００１２】
本願発明の開口部の補強構造は、側方補強鉄筋と中央補強鉄筋を備えた構造である。側方補強鉄筋は、水平部と傾斜部を有する折り曲げ鉄筋であり、４本を１組として、コンクリート造梁の左右の側面に所定のかぶりを確保したうえで配置される。また中央補強鉄筋は、左右側面に配置された側方補強鉄筋の間に配置される。なおここでいう「側面」とは、コンクリート造梁の軸方向（長手方向）に沿った略鉛直（鉛直含む）の面のことである。開口部は、側面側では４つの（４本の側方補強鉄筋の）傾斜部によって取り囲まれ、断面中央側では中央補強鉄筋の全部又は一部によって形成される閉鎖領域の中に収められる。
【００１３】
本願発明の開口部の補強構造は、上部側方補強鉄筋と下部側方補強鉄筋を備えた構造とすることもできる。上部側方補強鉄筋は水平部が開口部の上方に配置されるもので、一方の下部側方補強鉄筋は水平部が開口部の下方に配置されるものである。この場合、２本の上部側方補強鉄筋は、それぞれの傾斜部が開口部を挟むように対向配置され、さらに水平部と傾斜部との折り曲げ部で交差するように、そして両方の水平部が略一直線（一直線含む）となるように配置される。同様に、２本の下部側方補強鉄筋も、それぞれの傾斜部が開口部を挟むように対向配置され、さらに水平部と傾斜部との折り曲げ部で交差するように、そして両方の水平部が略一直線（一直線含む）となるように配置される。
【００１４】
本願発明の開口部の補強構造は、さらに開口部補強鉄筋を備えた構造とすることもできる。開口部補強鉄筋は、主筋の側方からスライド挿入可能となるように一部が開いたコ字形状であり、左右１組の開口部補強鉄筋によって主筋を取り囲むように配置される。なお、開口部補強鉄筋の両端に設けられたフックは主筋の一部に掛けられる。
【００１５】
本願発明の開口部の補強構造は、多重の中央補強鉄筋によって開口部を取り囲む構造とすることもできる。この場合、閉鎖領域の大きさがそれぞれ異なる複数の中央補強鉄筋を用意し、これら中央補強鉄筋を開口部の周囲で略同一面（同一面含む）内に配置する。
【発明の効果】
【００１６】
本願発明の開口部の補強構造には、次のような効果がある。
（１）４本１組で配置される側方補強鉄筋は、補強有効範囲Ｃに配置された補強鉄筋としてのせん断補強効果に加えて、開口部上下で定着されていることから鉄筋に作用する引張力の鉛直分力がさらにせん断耐力の向上に寄与する。この結果、コンクリート造梁の梁せいを開口部直径の３倍未満に低減することができる。（なお、発明者らが行った試験の結果、梁せいを開口部直径の２．３倍まで低減できることを確認している。）
（２）コンクリート造梁の梁せいを小さくすると、コンクリート材料を削減することができるだけでなく、コンクリート造梁を構築するための掘削量も削減できることから、従来技術に比べて掛かる費用を大幅に軽減することができる。さらに、建設時の温室効果ガス（ＣＯ２等）の排出量も抑制することができるため、環境面においても従来技術より優れた構造といえる。
（３）側方補強鉄筋は、その水平部でコンクリートに定着できるため主筋への緊結作業等が省略でき、従来技術に比して容易に設置することができる。
（４）中央補強鉄筋は、あらかじめ閉鎖領域が形成されていることから、従来の補強鉄筋に比して鉄筋量を削減することができ、しかも特段の手間を要することなく容易に設置することができる。
（５）また開口部補強鉄筋も、主筋の側方からスライドさせながら所定位置に配置できるため、従来技術に比してやはり容易に設置することができる。
【図面の簡単な説明】
【００１７】
【図１】コンクリート造梁の軸方向に沿って切断した断面図。
【図２】（ａ）は開口部の位置でコンクリート造梁の軸方向の直交方向に切断した断面図、（ｂ）は開口部がない位置でコンクリート造梁の軸方向の直交方向に切断した断面図。
【図３】（ａ）は１本の側方補強鉄筋を示す正面図、（ｂ）は開口部を補強する４本の側方補強鉄筋を示す正面図。
【図４】（ａ）は開口部を補強する１重の中央補強鉄筋を示す正面図、（ｂ）は開口部を補強する２重の中央補強鉄筋を示す正面図。
【図５】１本の鉄筋を一筆書きで２重にした中央補強鉄筋を示す正面図。
【図６】（ａ）は開口部補強鉄筋を設置する前の状況を示すコンクリート造梁の断面図、（ｂ）は開口部補強鉄筋を設置した後の状況を示すコンクリート造梁の断面図。
【図７】柱のフーチングを接続する基礎梁を示す断面図。
【図８】補強鉄筋が開口部を補強し得る補強有効範囲Ｃを説明するモデル図。
【図９】（ａ）は従来の補強鉄筋を示す正面図、（ｂ）はこの補強鉄筋が上下の主筋を取り囲んで設置された状態を示す断面図。
【発明を実施するための形態】
【００１８】
本願発明の開口部の補強構造の一例を、図に基づいて説明する。
【００１９】
１．全体概要
本願発明の開口部の補強構造は、基礎梁などのコンクリート造梁に設けられた開口部を補強するものであり、側方補強鉄筋と中央補強鉄筋を含む構造である。図１と図２を参照しながら、本願発明の開口部の補強構造の全体的な構成について説明する。図１は、コンクリート造梁１００の軸方向（以下、単に「梁軸方向」という。）に沿って切断した断面図である。また図２は、梁軸方向に直交する方向（以下、「梁軸直角方向」という。）に沿って切断した断面図であり、（ａ）は開口部１１０位置で切断した断面図（図１のＡ矢視断面）、（ｂ）は開口部１１０がない位置で切断した断面図（図１のＢ矢視断面）である。
【００２０】
図１と図２に示すようにコンクリート造梁１００は、同一断面（一般的には略長方形）が梁軸方向に連続する形状であり、梁軸方向に沿って上下に主筋１２０が配置された鉄筋コンクリート構造物である。また、上下に伸びるあばら筋１３０が梁軸方向に一定間隔で配置されており、これらあばら筋１３０は上下の主筋１２０にそれぞれ係止されている。
【００２１】
コンクリート造梁１００には開口部１１０が設けられ、その周辺には開口部１１０を補強する種々の補強鉄筋が配置されている。具体的には、４本の側方補強鉄筋２００が開口部１１０を取り囲むように配置され、さらに中央補強鉄筋３００も開口部１１０を取り囲むように配置されている。そして、開口部１１０の上方と下方には、主筋１２０を取り囲む開口部補強鉄筋４００が梁軸方向に所定間隔で配置され、開口部１１０の側方（図１では左右）の近い位置には、複数のあばら筋１３０を束ねた開口際あばら筋５００が配置されている。なお、これら側方補強鉄筋２００（先端の一部を除く）と、中央補強鉄筋３００、開口部補強鉄筋４００、開口際あばら筋５００は、それぞれ補強有効範囲Ｃの中に配置されている。また、上方の主筋１２０と開口部１１０の間、下方の主筋１２０と開口部１１０の間には、梁軸方向に伸びる軸方向補強鉄筋６００がそれぞれ配置されている。
【００２２】
以下、本願発明を構成する主要な要素ごとに詳述する。
【００２３】
２．側方補強鉄筋
図３（ａ）は１本の側方補強鉄筋２００を示す正面図であり、図３（ｂ）は開口部１１０を補強する４本の側方補強鉄筋２００を示す正面図である。図３（ａ）に示すように側方補強鉄筋２００は、１本の鉄筋を折り曲げ加工したものであり、略水平（水平含む）に配置される水平部２０１と、斜方向に配置される傾斜部２０２を有している。なお、水平部２０１と傾斜部２０２の接続点、つまり側方補強鉄筋２００の形状が変化する点を、ここでは便宜上、「折り曲げ部２０３」ということとする。
【００２４】
側方補強鉄筋２００は、４本を１組として開口部１１０を補強する。その４本の側方補強鉄筋２００の配置について、図３（ｂ）を参照しながら詳しく説明する。この図に示すように、４本１組のうち２本の側方補強鉄筋２００は、その水平部２０１が開口部１１０の上方に位置するように配置される。そして、残り２本の側方補強鉄筋２００は、その水平部２０１が開口部１１０の下方に位置するように配置される。ここでは便宜上、水平部２０１が開口部１１０の上方に位置する側方補強鉄筋２００を特に「上部側方補強鉄筋２１０」ということとし、水平部２０１が開口部１１０の下方に位置する側方補強鉄筋２００を特に「下部側方補強鉄筋２２０」ということとする。
【００２５】
図３（ｂ）に示すように２本の上部側方補強鉄筋２１０は、それぞれの傾斜部２０２が開口部１１０を挟んで対向するように配置され、そしてそれぞれの折り曲げ部２０３で交差し（重なり）、しかも両方の水平部２０１が略一直線となるように配置される。同様に、２本の下部側方補強鉄筋２２０は、それぞれの傾斜部２０２が開口部１１０を挟んで対向するように配置され、そしてそれぞれの折り曲げ部２０３で交差し、しかも両方の水平部２０１が略一直線となるように配置される。なお、２本の上部側方補強鉄筋２１０の水平部２０１がなす直線方向と、２本の下部側方補強鉄筋２２０の水平部２０１がなす直線方向は、それぞれ主筋１２０の方向（つまり梁軸方向）と略平行である。このように配置した結果、開口部１１０は４つの（４本の側方補強鉄筋２００の）傾斜部２０２によって取り囲まれる。
【００２６】
４本を１組とする側方補強鉄筋２００は、コンクリート造梁１００の両側の側面に配置される。つまり、右側の側面（右側面）に所定のかぶりを確保したうえで、図３（ｂ）に示すように４本１組の側方補強鉄筋２００が配置され、左側の側面（左側面）にも所定のかぶりを確保したうえで、図３（ｂ）に示すように４本１組の側方補強鉄筋２００が配置される。なおここでいう「側面」とは、既述したとおり梁軸方向に沿った略鉛直（鉛直含む）の面のことである。
【００２７】
３．中央補強鉄筋
図４は中央補強鉄筋３００を示す正面図であり、（ａ）は開口部１１０を補強する１重の中央補強鉄筋３００を示す正面図であり、（ｂ）は開口部１１０を補強する２重の中央補強鉄筋３００を示す正面図である（図中の黒点は鉄筋の接合箇所を示す）。図４（ａ）に示すように中央補強鉄筋３００は閉合しており、その中に閉鎖した領域（以下、「閉鎖領域３１０」という。）が形成されている。そして実際に中央補強鉄筋３００を配置すると、その閉鎖領域３１０内に開口部１１０が収められる。なお図４（ａ）では、中央補強鉄筋３００の全部で（つまり両端が接合することで）閉鎖領域３１０を形成しているが、それぞれ両端から所定長（例えば数ｃｍ）控えた位置で鉄筋を交差させる（この場合、端部付近は閉鎖領域３１０の外側に突き出す）など中央補強鉄筋３００のうちの一部によって閉鎖領域３１０を形成してもよい。
【００２８】
中央補強鉄筋３００は、コンクリート造梁１００の両側面（左右の側面）に配置された４本１組の側方補強鉄筋２００の間、具体的には梁軸直角方向における断面中央付近に配置される。また、中央補強鉄筋３００は、図４（ａ）に示すように単独で（１重で）開口部１１０を補強してもよいし、図４（ｂ）に示すように２重で開口部１１０を補強してもよい。さらに、設計上必要とされる鉄筋量に応じて３重以上の中央補強鉄筋３００で開口部１１０を補強することもできる。開口部１１０の周りに複数の中央補強鉄筋３００を配置する場合は、それぞれ閉鎖領域３１０の大きさが異なる中央補強鉄筋３００を用意し、閉鎖領域３１０が小さいものから順に内側から配置する。このとき、複数の中央補強鉄筋３００は、略同一（同一含む）の面内、具体的には鉛直面内となるように配置するとよい。
【００２９】
多重の中央補強鉄筋３００で開口部１１０を補強する場合、図５に示すように１本の鉄筋を一筆書きで２重に加工した中央補強鉄筋３００を使用することもできる。この図に示す中央補強鉄筋３００は、鉄筋を折り曲げ加工したものであり、内側に小さな略矩形が形成され、さらにその外側により大きな略矩形が形成されており、全体を通して一筆書きとなるように加工されている。もちろんこの図に示す形状に限らず、一筆書きとなる他の形状の中央補強鉄筋３００を用いて開口部１１０を補強することもできる。
【００３０】
ところで４本１組の側方補強鉄筋２００は、両側面（左右の側面）に１箇所ずつ配置されるため、それほど鉄筋量を増やすことができない。一方、中央補強鉄筋３００は、既述したとおり多重配置できるうえに、梁軸直角方向に並列して（つまり複数の鉛直面内に）配置することもできるため、比較的容易に鉄筋量を増加することができる。すなわち本願発明の開口部の補強構造は、限られた補強有効範囲Ｃであっても補強鉄筋の増加に柔軟に対応することができるわけである。なお、側方補強鉄筋２００の荷重負担と中央補強鉄筋３００の荷重負担の極端な不均衡を避けるため、中央補強鉄筋３００の鉄筋量は、側方補強鉄筋２００と中央補強鉄筋３００を合わせた総鉄筋量の９０％以下（つまり、０％よりも多く９０％以下）となるように設計するとよい。
【００３１】
４．開口部補強鉄筋
図６は開口部補強鉄筋４００を配置する状況を示すコンクリート造梁１００の断面図であり、（ａ）は開口部補強鉄筋４００を設置する前の状況を、（ｂ）は開口部補強鉄筋４００を設置した後の状況を示している。図６（ａ）から分かるように開口部補強鉄筋４００は、その１部が開いたいわゆる「コ字形状」であり、両端にはフックが形成されている。
【００３２】
開口部補強鉄筋４００は、主筋１２０を取り囲むように配置される。このとき、２つの開口部補強鉄筋４００を１組として主筋１２０を取り囲む。具体的には、図６（ａ）に示すように左右の開口部補強鉄筋４００で挟み込むように主筋１２０を取り囲むわけである。なお、左右１組の開口部補強鉄筋４００は、開口部１１０の上方範囲と下方範囲に配置され、上下の主筋１２０それぞれに梁軸方向に所定間隔をもって配置される。
【００３３】
開口部補強鉄筋４００を配置する際は、開いた部分が主筋１２０側となる姿勢とし、そのまま梁軸直角方向にスライドさせながら主筋１２０に挿入する。このように設置することで、主筋１２０の先端から梁軸方向に押し込んでいく必要がなく、設計された位置でそのまま設置作業ができ、しかもスライドさせるだけであるから極めてスムーズな設置作業となる。そして開口部補強鉄筋４００が主筋１２０を取り囲むように配置されると、図６（ｂ）に示すように先端のフックが主筋１２０に係止される（掛けられる）。
【００３４】
５．コンクリート造梁
本願発明の開口部の補強構造によれば、補強有効範囲Ｃといった限定的な範囲であっても十分な補強鉄筋量を配置できるため、コンクリート造梁１００の梁せいを従来技術より小さくすることができる。言い換えれば本願発明の開口部の補強構造は、梁せいが従来技術よりも小さいコンクリート造梁１００にも有効に適用することができる。具体的には、梁せいが開口部１１０直径の３倍未満であるコンクリート造梁１００にも適用可能であり、既述したとおり発明者らが行った試験の結果から、梁せいが開口部１１０直径の２倍であるコンクリート造梁１００まで適用可能である。つまり本願発明の開口部の補強構造は、梁せいが開口部１１０直径の２倍以上３倍未満の範囲にあるコンクリート造梁１００に有効に適用可能である。
【産業上の利用可能性】
【００３５】
本願発明の開口部の補強構造は、戸建住宅や集合住宅のほか、工場などの生産施設や、倉庫、体育館などあらゆる建築物で利用することができる。本願発明の開口部の補強構造は、開口部を堅固に補強するため高品質の建築物を提供し得る発明であり、しかも既述したとおり建設時の温室効果ガス排出量を抑制し得る発明であることを考えれば、産業上利用できるばかりでなく社会的にも大きな貢献を期待し得る発明といえる。
【符号の説明】
【００３６】
１００  コンクリート造梁
１１０  開口部
１２０  主筋
１３０  あばら筋
２００  側方補強鉄筋
２０１  （側方補強鉄筋の）水平部
２０２  （側方補強鉄筋の）傾斜部
２０３  （側方補強鉄筋の）折り曲げ部
２１０  上部側方補強鉄筋
２２０  下部側方補強鉄筋
３００  中央補強鉄筋
３１０  （中央補強鉄筋内に形成される）閉鎖領域
４００  開口部補強鉄筋
５００  開口際あばら筋
６００  軸方向補強鉄筋
【図１】
2018104993.tif 000003
【図２】
2018104993.tif 000004
【図３】
2018104993.tif 000005
【図４】
2018104993.tif 000006
【図５】
2018104993.tif 000007
【図６】
2018104993.tif 000008
【図７】
2018104993.tif 000009
【図８】
2018104993.tif 000010
【図９】
2018104993.tif 000011